(57)【要約】【課題】マイナスイオン発生物を噴霧するための手段を開発すること【解決手段】マイナスイオン発生物質を水に分散させた水性組成物とすること【選択図】なし【特許請求の範囲】
【請求項１】
（イ）マイナスイオン発生物質と、
（ロ）必要に応じて使用されるバインダー樹脂成分と
（ハ）必要に応じて使用される昇華性薬剤成分と
（ニ）必要に応じて使用される磁石発生用粉末成分又は（及び）導電性粉末成分と
から成ることを特徴とするマイナスイオン発生物質を含有して成る噴霧用水性組成物。
【請求項２】
上記マイナスイオン発生物質が、トルマリン鉱石又は（及び）レアアース鉱石である請求項１に記載の水性組成物
【請求項３】
上記昇華性薬剤成分が消臭、芳香、抗菌、防虫、防カビ、動物忌避、洗浄化、鮮度保持成分である請求項１に記載の水性組成物
【請求項４】
上記磁石発生用粉末成分は、フェライト系磁石粉末、ボンド磁石粉末、アルニコ磁石粉末である請求項１に記載の水性組成物
【発明の詳細な説明】
【０００１】
【産業上の利用分野】
本発明は、マイナスイオン発生物質に関し、更に詳しくはスプレーすることにより、誰でも、何処でも、何にでもマイナスイオンを発生させる発生源を付与して、マイナスイオン効果を広く誰にでも享受出来、惹いては環境改善と健康増進に役立てることを目的とする。
また必要に応じ、薬剤やその他の芳香成分との併用により、これ等成分の効果と本来目に見えないマイナスイオンの発生を擬似的に香りで認識させることも可能とする。
加えて、磁気発生成分により、磁力の身体の健康に及ぼす効果も享受でき、またカーボン粉末等の導電性物質を混入することにより、電磁波を吸収できる特性を得ることもできる。更に詳しくは、磁性体は電磁波の磁気成分を吸収して熱に変え、同様に導電成分は電磁波の電気成分を吸収する。
【０００２】
【従来の技術】
マイナスイオンを発生する物質自体は従来よく知られており、またマイナスイオンが健康増進に極めて有効であることも良く知られている。そしてこのマイナスイオン発生物質として、代表的なものとして、トルマリンやジルコン系鉱物、更にはその他各種レアアース鉱石等が使用され、バインダー樹脂と混合した組成物として良く用いられている。
【０００３】
またこのマイナスイオン発生物質を遠赤外線を放射する物質と併用することも実際に行われている。
しかし乍ら、このマイナスイオン発生物質を、スプレーの形態で使用する手段たとえば噴霧用水性組成物やその容器等は、未だ全く開発されていない。
【０００４】
この理由は、マイナスイオン発生物質そのものを各種対象物に付着させるには、従来は、繊維であれば糸に練りこむか、後加工の場合は含浸方法がとられているのが一般的であり、噴霧するという技術思想が全く考えられていなかった。たとえば、紙、木材、絨毯、畳、窓ガラス、カーテン、家具類、車のシート、その他様々な製品に対して噴霧器で吹きかけて強力に付着させること、特にそのために使用されるバインダー樹脂の選考とその応用研究が行き届いてなかった。マイナスイオン発生物質を簡単にスプレーする手段を開発すると、マイナスイオン発生源を任意に作成し、その上薬剤成分とその芳香成分による効果の増大と、さわやか感による癒し効果を享受できることが可能となり、同時に広く知られている健康促進のための磁力効果
も享受でき、幅広い市場の要望が実現できることになる。しかし乍ら、現在このような要望に合致する手段は、いまだ開発されていない。
【０００５】
【発明が解決しようとする課題】
従って本発明が解決しようとする課題は、従来の上記要望に応えることであり、更に詳しくは、マイナスイオンの発生物質を噴霧出来るような形態、即ち水性組成物となしえる手段を開発し、この際薬剤成分、芳香成分、磁気発生成分を、更に必要に応じこの水性組成物に、配合して、これ等の効果を付与し得るものとすることである。
【０００６】
【課題を解決するための手段】
この課題は、マイナスイオン発生物質を水に分散させた水性組成物とすること、更に必要に応じバインダー樹脂成分を用いて接着力を増強し、また昇華性薬剤成分や芳香成分を配合して、薬剤成分の効果を賦与し、且つ芳香成分に依るマイナスイオン発生物質の確認作用をも更に付加し、加えて必要に応じ磁気発生成分の効果をも付け加えることにより解決される。
【０００７】
【発明の作用】
本発明の噴霧用水性組成物は基本的には下記の（イ）〜（ハ）の手段から成っている。
（イ）マイナスイオン発生物質と、
（ロ）必要に応じて使用されるバインダー樹脂成分と
（ハ）必要に応じて使用される昇華性薬剤成分（芳香成分を含む）
（ニ）必要に応じて使用される磁石発生用粉末成分又は（及び）導電性粉末成分と
である。
【０００８】
本発明に於いて使用するマイナスイオン発生物質としては、従来から、マイナスイオンを発生することが知られている物質を、いずれも広い範囲で使用することが出来る。その代表的なものを例示すると、トルマリン鉱石系、レアアース鉱石系の物質を例示することが出来る。
レアアース鉱石系では、消臭抗菌作用を有するトリウム、ウランなどの微量放射性レアアース鉱物の粉体と常温で遠赤外線を放射するジルコン、ジルコニア、アルミナ、シリカなどのセラミックスを混合−粒砕−焼結を繰り返してできたイオン・遠赤外線発生セラミックスをはじめ、その他各種のものが例示できる。
【０００９】
マイナスイオン発生物質そのものが、例えばレアアース鉱石の場合は、やや白褐色の粉末またはスラリー状のものであり、トルマリン鉱石の場合はグレー系の粉末となり、塗布した場合対象物にその色が付着するという問題を解決する必要がある。その解決には、発生物質の粒径を１ミクロン以下に小さくし少量を分散させることにより、見かけ上実質的に着色による支障が解決できるものである。
【００１０】
本発明に於いて必要に応じ使用される（ハ）昇華性薬剤としては昇華性を有する各種薬剤が広く使用出来、その代表的なものを例示すると、消臭剤、抗菌剤、防虫剤、防カビ剤、芳香剤、動物忌避剤、洗浄浄化剤、鮮度保持剤、各種アロマオイル、森林浴成分等を挙げることが出来る。
【００１１】
本発明において必要に応じて使用される（ニ）磁気発生成分としては、従来から磁気発生成分として知られているものが使用出来、フェライト粉末などの物質を代表例として例示出来、特に磁気力を高くするためには、異方性に配向したフェライト磁気粉末で、粒径が０．１μ〜１．０μのものが最も望ましく、それを永久磁石や簡単な電磁磁化装置により強磁化することにより、そこから出る磁力線が、血行を促し、疲れを取り健康に大きな効果がある。またこれにより従来から一般市場に出ている各種の磁気商品の効果を本発明に於いても享受できる。
【００１２】
本発明に於いて必要に応じ使用されるバインダー樹脂成分は、繊維用としては、無機粉体の分散性に優れたアクリル酸エステル系共重合エマルジョンが好ましく、塗料用としては、マイナスイオン発生に最も適したインキ受容層バインダーで、表面が多孔質になり、マイナスイオンの発生を妨げないものが好ましく、その例としてはガンツ化成株式会社の「ＦＣＸ−８」なども有効である。
【００１３】
バインダー樹脂成分として他に酢酸ビニル系エマルジョン、アクリル−スチレン共重合体系エマルジョン、その他塗料用から繊維用の各種のエマルジョンやバインダー樹脂が広く使用できる。
これらを適当に混合することにより、バインダーと樹脂として広い範囲から各種のものが使用できる。
【００１４】
本発明の噴霧用水性組成物は以下の態様がある。
（Ａ）マイナスイオン発生物質を水に分散させた水性組成物
（Ｂ）（Ａ）の組成物に更にバインダー樹脂成分を添加したもの
（Ｃ）（Ａ）の組成物に、更に昇華性薬剤成分を添加したもの
（Ｄ）（Ａ）の組成物に、更に磁気発生成分を添加したもの
（Ｅ）（Ａ）の組成物に、更にバインダー樹脂成分と昇華性薬剤成分を添加したもの
【００１５】
マイナスイオン発生物質は通常１μｍ以下の微粒子を用いて、適当な分散剤を用いて水に分散させる。この際のマイナスイオン発生物質は水１００（重量部）に対して、０．５〜５、好ましくは１〜３重量部程度である。分散剤としてはたとえば各種界面活性剤が広く使用出来、好ましいものとして「アビゲンＦ３００」を例示出来る。
【００１６】
上記（Ｂ）〜（Ｅ）の形態の場合は、バインダー樹脂成分を２０重量部以下好ましくは１０重量部以下、昇華性薬剤成分を１０重量部以下好ましくは３重量部以下、磁気成分を１０重量部以下好ましくは５重量部以下、そして比重の大きい成分を液中に分散させるため、分散剤（洛東化成工業株式会社製アピアゲンＴ−３００）を５重量部以下好ましくは３重量部以下配合すれば良い。
更に本発明に於いては、柔軟剤を併用することも出来る。この際の柔軟剤としてはたとえばシリコン反応物で、強力な柔軟性を有しドライタッチの仕上げが出来る洛東化成工業株式会社製の、「ラクセットＫＫＳ−５Ａ」を例示出来る。
【００１７】
本発明の組成物の最も好ましい構成はマイナスイオン発生物質３重量部が含まれた２０重量部の水性スラリーに、バインダー樹脂成分１０重量部、分散剤３重量部、水６７重量部の比で混合された組成物か、必要に応じて３重量部から１０重量部の昇華性薬剤成分、１重量部から３重量部の芳香成分、必要に応じて２重量部から１０重量部の磁気発生成分を配合した組成物である。
【００１８】
本組成物の噴霧対象物は、衣類、カーテンなどのインテリア製品、家具、寝具類、家具カバー、絨毯、畳、フローリング、雑貨類、プラスチック、壁紙、ふすま、障子、キッチン、テレビ、電話、家電製品など、対象物が繊維、プラスチック、金属、木製物、その他あらゆるものに適用でき、たとえば約２００ｃｃ容器のスプレーボトルで、３平方メートル部分に塗布できる。
【００１９】
磁束密度は、磁化力にもよるが約１５００Ｇ以上発生し、磁化力を上げると本来異方性フェライト粉末が持つ４０００Ｇ程度に近づけることができる。
【００２０】
マイナスイオン発生量は、使用するマイナスイオン発生物質により異なるが、１回の噴霧で約１００個／ｃｃ〜１０００個／ｃｃ、噴霧回数を重ねることにより発生量は増加する。またその他、マイナスイオン発生物質の量を増やすことにより最大５万個／ｃｃ以上も可能となる。
【００２１】
噴霧容器は、通常のプラスチック製、ガラス製、金属製のボトル容器にハンドスプレーを付けたもの、あるいはガス封入のスプレーなど用途に応じて様々なスプレーを使用するか、塗装用のスプレー装置など様々な噴霧装置が使用できる。更にのべれば噴霧する場合のスプレー装置として、一般的にボトルに取り付けられたハンドスプレー、空気圧縮方式の塗装用などに使われるスプレー、ガス封入式エアゾールスプレーなど、また様々な噴霧ノズルが使用出来、組成物に含有されているマイナスイオン発生物質の粒子が細かいので、殆どのスプレーノズルが使用できると云っても過言ではない。
【００２２】
【実施例】
以下に実施例を示して本発明を詳しく説明する。
【実施例　１】
マイナスイオン発生物質単独の場合
マイナスイオン発生物質としてレアアース鉱石混合体（美濃顔料化学工業（株）の「イオミックス」）の５０％スラリー物質を使用し、それを２０ｇと、アニオン系のアクリルエマルジョンの塗料用と繊維用のものを夫々１：２の比率で混合したバインダー樹脂成分を８ｇを混ぜ、水１７０ｇで薄めよく混ぜた水性組成物を、ハンドスプレーで、ポリエステル系の不織布とウレタンフォームに夫々吹き付けた。
全く白い粉末などの付着は認められず、発生マイナスイオン量は、約２００個／ｃｃ〜５００個／ｃｃになった。これらを、１０回洗濯したが、マイナスイオン量は全く変わらなかった。
【００２３】
【実施例　２】
マイナスイオン発生物質＋芳香剤
マイナスイオン発生物質として実施例１と同様の「イオミックス」の５０％のスラリー２０ｇに、シリカ系マイクロカプセルに吸収させたラベンダーオイル６ｇを混合し、アクリル系エマルジョン８ｇを添加し、分散剤６ｇと共によく混ぜて得た水性組成物を、塗装用スプレーガンでクロス壁に２回噴霧した。
一週間後でも十分な香りがあり、またマイナスイオン量は約７００個／ｃｃであった。
【００２４】
【実施例３】
マイナスイオン発生物質＋昇華性薬剤
マイナスイオン発生物質として実施例１と同様の「イオミックス」の５０％のスラリー２０ｇに、ヒノキチオール０．３ｇを添加しよく混合した後、アクリルエマルジョン８ｇ配入し、分散剤６ｇと柔軟剤１０ｇを投入し、水性組成物を調製した。これをハンドスプレーで、ベッドマットに噴霧した。なおヒノキチオールは、ダニの忌避率について公的機関のデーターでは９６．３％にもなる。
マイナスイオン量は、２回噴霧したので５００個／ｃｃ以上出ていた。
【００２５】
【実施例４】
マイナスイオン発生物質として、レアアース混合体（美濃顔料化学工業株式会社の「イオミックス」）を使用し、白樺の抽出精油、ササの抽出油及びヒノキチオールをシリカマイクロカプセルに封入し混合したものを使用し、マイナスイオン発生物質２ｇを含むスラリー２０ｇに上記薬剤の混合体を３グラムと日本エヌエスシー（株）の「ヨドゾール．ＡＤ９３」アクリル系エマルジョンを８ｇ混合し、水１６９ｇで薄めて、水性組成物を得た。これをポリエステル系の不織布と、綿のハンカチーフに夫々１回スプレーし乾燥させたところ、ラベンダーの香りと、マイナスイオン発生量は、約２００個／ｃｃ〜５００個／ｃｃとなった。しかも繊維の硬化も認められなかった。
また、洗剤を使用した洗濯を５０回実施したが、マイナスイオン発生量には全く変化がなかった。
【００２６】
【実施例５】
上記実施例４の組成物を、黒と藍色のハンカチ２種類に、１０回ずつ同一箇所にスプレーして、白い粉体が目立たないかテストしたところ、目視では他のスプレーを全くしなかった箇所と差異は見られなかった。
【００２７】
【実施例６】
実施例５に於いて、同じ組成物を用いて、２回吹きつけ（１回吹きつけ、乾燥後２回目を吹き付ける）たところ、発生マイナスイオン量は、約倍の５００個／ｃｃ〜１０００個／ｃｃと倍加した。
【００２８】
【実施例７】
上記実施例４の組成物を、プラスチックとステンレスプレートに夫々塗布し、乾燥させた。
通常の摩擦程度では取れず、固いスポンジなどで強くこすることによりやっと取れることがわかった。
【００２９】
【実施例８】
マイナスイオン発生物質として実施例１と同様の「イオミックス」の５０％のスラリー８ｇに、シルクと海草（ヒワマタ）の抽出油から成るＵＶカット剤を１０ｇ、磁性成分としてフェライト磁性粉末を１０ｇ、バインダー成分１０ｇ、分散剤６ｇとを混合して１５６ｇの水に分散させてＴシャツに噴霧した。その後フェライト磁性粉末を磁化するために、液体成分が乾燥する前に磁界をかけ配向して異方性にし、約１００００ガウスの磁界をかけた。
発生磁束密度８００ガウス、マイナスイオン発生量６００個／ｃｃ、紫外線カット率９８％を得た。ＵＶカット剤が夏の紫外線から守り、磁気が肩などの血流を良くし凝りをほぐし、マイナスイオンが自律神経を抑制してストレスを解放し、まさに健康Ｔシャツを生み出した。